(57)【要約】      （修正有）【課題】表示装置自動復帰の回転軸系統において、使用者の操作を簡単化し、装置の占拠空間を減少することにより表示装置の設置コストを減少する。【解決手段】固定ベースと、片側が前記固定ベースと固接（ｓｏｌｉｄ  ｊｏｉｎｔ）する主軸と、該主軸を周回し回転して表示装置を安置するローテイタブル・サポートと、一端が該ローテイタブル・サポートと固接して停止角度を設定するカム装置と、一端が該カム装置と接続して圧力エネルギーを蓄積し且つ該カム装置に対して主軸軸方向の圧力を印加する蓄積圧力装置とを備えてなり、その中、該ローテイタブル・サポートが特定角度以下の場合、蓄積圧力装置により釈放された該圧力は該カム装置を、該ローテイタブル・サポートを連動して自動的に停止角度に復帰させる。【選択図】図３（Ａ）
2008197618.tif 000002
【特許請求の範囲】
【請求項１】
固定ベースと、
片側が前記固定ベースと固接（ｓｏｌｉｄ  ｊｏｉｎｔ）する主軸と、
前記主軸を周回し回転して表示装置を安置するローテイタブル・サポートと、
一端が前記ローテイタブル・サポートと固接して停止角度を設定するカム装置と、
一端が前記カム装置と接続して圧力エネルギーを蓄積し且つ該カム装置に対して主軸軸方向の圧力を印加する蓄積圧力装置と、を備えてなり、その中
前記ローテイタブル・サポートが特定角度以下の場合、前記蓄積圧力装置により釈放された該圧力は前記カム装置を、該ローテイタブル・サポートを連動して自動的に停止角度に復帰させる、表示装置自動復帰回転軸系統。
【請求項２】
前記ローテイタブル・サポート上には、前記表示装置を該ローテイタブル・サポートと異なる回転の方向へ回転する回転軸が有り、又は
該表示装置は投影装置である、
請求項１記載の自動復帰回転軸系統。
【請求項３】
前記カム装置は円筒端面カムであり、そしてこの円筒端カムは分離可能な筒形構造であって、
前記ローテイタブル・サポートと固接し、前記主軸を周回して回転するローテイタブル部位と、
前記主軸の軸方向に沿って移動でき、前記蓄積圧力装置と接続して該蓄積圧力装置釈放の圧力を受けるアンローテイタブル部と、
を備えてなり、その中
該円筒端面カムの該ローテイタブル部位及びアンローテイタブル部位はそれぞれ互いに係合する端面形状を有しており、及び
該円筒端面カムの端面形状は少なくとも２垂直筒形構造軸方向の平面と、少なくとも該２垂直筒形構造軸方向平面を連接する傾斜面を備え、その中
該傾斜面は曲面であり、或いは
該円筒端面カムの該ローテイタブル部位及び該アンローテイタブル部位の各自の端面はその傾斜面にずれがある時、接続的な蓄積圧力装置釈放の圧力下で円筒端面カムが該ローテイタブル・サポートを連動して、停止角度に復帰させる、
請求項１記載の自動復帰回転軸系統。
【請求項４】
前記蓄積圧力装置の他端は前記固定ベースと接続され、
該蓄積圧力装置は弾性位置エネルギー平衡装置、圧力スプリング、気体圧力位置エネルギー平衡装置、磁気位置エネルギー平衡装置、電磁位置エネルギー装置又は等価装置であり、その中
該蓄積圧力装置は使用者の印加作用を通して圧力エネルギーを蓄積する、
請求項１記載の自動復帰回転軸系統。
【請求項５】
前記表示装置は表示スクリーンであり、そして前記固定ベースは椅子の背部に取付けられており、又は
前記表示装置は自動車内の表示スクリーンであり、そして該固定ベースは自動車内の車頂に取付けられる、
請求項１記載の自動復帰回転軸系統。
【請求項６】
前記固定ベースは一水平構造に取付けられ、又は
該固定ベースは天井上取付けられている、
請求項１記載の自動復帰回転軸系統。
【請求項７】
前記固定ベースは立面構造に取付けられ、又は
該固定ベースは壁面上に取付けられている、
請求項１記載の自動復帰回転軸系統。
【発明の詳細な説明】
【技術分野】
【０００１】
本発明は表示装置自動復帰の回転軸系統に関し、特に車用表示スクリーン自動復帰の回転軸系統に関する。
【背景技術】
【０００２】
近年情報の進歩につれて、車用表示器の使用も益益普及的になり、現今の車内の表示器は娯楽性放送の機能を有するばかりでなく、交通道路情報系統、全地球衛星測位系統、車両内部機器状態の訊問警告系統及び車両周辺映像即時監視系統に配合して、ドライバーにより多くの道路ドライブ及び自動車安全操縦情報をも提供でき、未来智慧型車両ドライブ系統の不可欠な一環となっている。
【０００３】
しかしながら車用表示器を自動車内への配置に使用する場合、車両内部空間の有限性、ドライブ及び乗客の可視度及び操作の容易性を考慮しなければならない。この多くの配置方式において、車頂捲り下げ式のスクリーンは一般にその空間及び視角の便利性を利用して多くのメーカに採用され、例えばアメリカ特許ＵＳＤ４５１８９５５及びＵＳＤ４５６３７１Ｓが代表的である。しかし、現今に見られる車頂捲り下げ式スクリーンの設置に採用された機構は多くは手動又はモータ伝動の方式でスクリーンを開閉し、そして使用終了時において手動又はモータ伝動の方式で復帰して定位している。図１及び図２はそれぞれその配置を示す。
【０００４】
図１は従来の車頂表示装置の見取図である。図１において該表示装置ｐ１は表示スクリーンであり、その開閉は使用者が直接手動で操作され、表示スクリーンが開閉された時、一固定スイッチｐ４（例えばフック又はさしピン）をベースｐ２と配合して該表示装置を固定している。その欠点は必ず使用者により手動で操作する必要があると共に該固定スイッチ装置は比較的大きなベースを配合する必要があるので、装置全体の体積も増加する。図２は従来の他の車頂表示装置の見取図であり、この図において、車頂表示装置ｐ７はモータの伝動開閉は駆動伝動装置ｐ８を増加する必要があるので、比較的大きな安置用のベース空間が需要であるばかりでなく、全体のコストも増加する。
【０００５】
上記既存機構の欠点を改善と同時に更に使用者の操作を簡単化し、装置の占拠空間を減少するために、本発明により鋭意研究及びテストした結果、ついに本発明の「表示装置自動復帰回転軸系統」を案出した。
【発明の開示】
【発明が解決しようとする課題】
【０００６】
本発明は表示装置開閉用の自動復帰回転軸系統を提供すると同時に、使用者の操作を簡単化し、装置の占拠空間を減少することにより表示装置の設置コストを一歩進んで減少するのを目的とする。
【課題を解決するための手段】
【０００７】
本発明のアイデアによる表示装置自動復帰系統は、固定ベースと、
片側が該固定ベースとソリッド・ジョイントする主軸と、
該主軸を周回し回転して表示装置を使用安置するローテイタブル・サポートと、
一端が該ローテイタブル・サポートとソリッド・ジョイントして停止角度を設定するカム装置と、
一端が該カム装置と接続して圧力エネルギーを蓄積し且つ該カム装置に対して主軸軸方向の圧力を印加する蓄積圧力装置とを備えてなり、その中
該ローテイタブル・サポートが一特定角度以下の場合、該蓄積圧力装置により釈放された該圧力は該カム装置を、該ローテイタブル・サポートを連動して自動的に停止角度に復帰させる。
【０００８】
本発明により提供される表示装置自動復帰回転軸において、該カム装置は円筒端面カムである。
【０００９】
また本発明により提供される表示装置自動復帰回転軸系統において、該円筒端面カムは分離可能な筒形構造であり、該ローテイタブル・サポートとソリッド・ジョイントし且つ主軸を周回して回転するローテイタブル部位と、主軸の軸方向に沿って移動でき且つ蓄積圧力装置と接続して蓄積圧力装置釈放の圧力を受けるアンローテイタブル部位と、を備えてなる。
【００１０】
また本発明により提供される表示装置自動復帰回転軸系統において、円筒端面カムのローテイタブル部位及びアンローテイタブル部位は、互いに係合する端面形状を有している。
【００１１】
また本発明により提供される表示装置自動復帰回転軸系統において、該円筒端面カムの端面形状は少なくとも２垂直筒形構造軸方向の平面と、少なくとも該２垂直筒形構造軸方向の平面とを連接する傾斜面と、を備えてなる。
【００１２】
好適には該傾斜面は曲面である。
【００１３】
また、本発明により提供される表示装置自動復帰回転軸において、該円筒端面カムのローテイタブル部位及びアンローテイタブル部位の各自の端面は、その傾斜面にずれがある時、持続的な該蓄積圧力装置釈放の圧力下で円筒端面カムがローテイタブル・サポートを連動して、停止角度に復帰させる。
【００１４】
また、本発明により提供される表示装置自動復帰回転軸系統において、該蓄積圧力装置の他端は該固定ベースと接続している。
【００１５】
また、本発明により提供される表示装置自動復帰回転軸系統において、該蓄積圧力装置は弾性位置エネルギー平衡装置、圧力スプリング、気体圧力位置エネルギー平衡装置、磁気位置エネルギー平衡装置、電磁位置エネルギー平衡装置又はその等価装置である。
【００１６】
また本発明より提供される表示装置自動復帰回転軸系統において、蓄積圧力装置は使用者の印加作用を通して圧力エネルギーを蓄積する。
【００１７】
また、本発明により提供される表示装置自動復帰回転軸系統において、該表示装置は表示スクリーンである。
【００１８】
また本発明により提供される表示装置自動復帰回転軸系統において、該表示装置は自動車内の表示スクリーンである。
【００１９】
また、本発明により提供される表示装置自動復帰回転軸系統において、該表示装置は投影装置である。
【００２０】
また本発明により提供される表示装置自動復帰回転軸において、該固定ベースは車頂に取付けられる。
【００２１】
また本発明により提供される表示装置自動復帰回転軸系統において、該固定ベースは水平構造に取付けられる。
【００２２】
また本発明により提供される表示装置自動復帰回転軸系統において、該固定ベースは天井上に取付けられる。
【００２３】
また本発明により提供される表示装置自動復帰回転軸において、該固定ベースは壁面上に取付けられる。
【００２４】
また本発明により提供される表示装置自動復帰回転軸系統において、該固定ベースは椅子の背部に取付けられる。
【００２５】
また本発明により提供される表示装置自動復帰回転軸系統において、ローテイタブル・サポート上には一回転軸があり、これにより表示装置をローテイタブル・サポートと相違する回転方向に回転させることが出来る。
【００２６】
本発明の効果及び目的は以下に提示された実施例及び図面の説明より一層深く瞭解できる。
【発明を実施するための最良の形態】
【００２７】
本発明は以下の実施例により十分に了解され、当業者はこれに基づいて完成することができる。
【００２８】
図３（Ａ）〜図３（Ｃ）は本発明の表示装置自動復帰回転軸系統の第１の実施例の見取図である。これら図において、表示装置自動復帰回転軸系統は固定ベース１０１と、主軸１０２と、ローテイタブル・サポート１０３と、カム装置１０４と、蓄積圧力装置１０５とを備えてなる。その中主軸１０２は固定ベース１０１と固接（ｓｏｌｉｄ  ｊｏｉｎｔ）した一端１０２２を有する。ローテイタブル・サポート１０３は主軸１０２を周回して回転することができ、その上に表示装置が安置される。カム装置１０４は円筒端面カムであり、２つの端面が互いに係合された筒形構造により組成され、それぞれ主軸に対応するアンローテイタブル部位１０４１、及び、ローテイタブル部位１０４２を備える。ローテイタブル部位１０４２はローテイタブル・サポート１０３と固接しており、このローテイタブル・サポート１０３が回転すると、ローテイタブル部位１０４２を連動して回転させる。蓄積圧力装置１０５は圧力スプリングであって、カム装置１０４のアンローテイタブル部位１０４１と連接している。これによりアンローテイタブル部位に対して主軸１０２の軸方向の圧力を印加し、それを持続的にカム装置１０４のローテイタブル部位１０４２に向って加圧する。
【００２９】
カム装置１０４の詳細な配置は一歩進んで図４及び図５を参照することができる。
【００３０】
図４は図３におけるカム装置１０４のアンローテイタブル部位１０４１の細部表示図であり、よりはっきりその構造を表示するために、それぞれその断面図、図４（Ａ）とその立体図、図４（Ｂ）で表わす。図４において、アンローテイタブル部位１０４１は一円筒形であり、その中間には主軸１０２の貫通用として提供された第１の空心部１０４１２がある。同時にアンローテイタブル部位１０４１のアンローテイタブルの抑制条件を提供するために、主軸１０２は両平面及び両円弧の形状を包括するように設計されてなり、そして空心部１０４１２は丁度主軸１０２を包括する形状に設計されており、図に示すように、両組の平面１０４１２１及び両組の円弧面１０４１２２を備えている。アンローテイタブル１０４１の外囲はカム作用の立体端面形状とする立体端面部１０４１４を備え、それには第１端の下平面１０４１４２と、第１端の連続曲面１０４１４４と、第１端の上平面１０４１４６と、第１端の下平面１０４１４２と第１端の上平面１０４１４６と間にある第１端の垂直接続面１０４１４８とを備えてなる。
【００３１】
図５は図３におけるカム装置１０４のローテイタブル部位１０４２の細部表示図であり、よりはっきりその構造を表示するために、それぞれその断面図、図５（Ａ）とその立体図、図５（Ｂ）で表わす。図５において、ローテイタブル部位１０４２も円筒形であり、その中間には主軸１０２の貫通用とし、同時に主軸１０２がその中において自由に回転できる円形の空心部１０４２２がある。ローテイタブル部位１０４２は外囲に片寄り、且つ第２の立体端面部１０４２４をも備えている。その中、当該、第２の立体端面部１０４２４は第２端の下平面１０４２４２と、第２端の連続曲面１０４２４４と、第２端の上平面１０４２４６と、第２端の下平面１０４２４２と第２端の上平面１０４２４６との間にある第２端の垂直接続面１０４２４８と、を備えてなり、第２の立体端面部１０４２４は第１の立体端面部１０４１４と丁度係合する端面形状を有する。この他に、ローテイタブル１０４２もローテイタブル・サポート１０３と固接（ｓｏｌｉｄ  ｊｏｉｎｔ）する、ほぞ装置１０４２８を備えている。
【００３２】
以上の設計により、表示装置自動復帰回転軸系統第１の実施例の操作は同時に図６及び図７を参照することができる。図６は図３における表示装置自動復帰回転軸系統の操作見取図である。図７は図３における表示装置自動復帰回転軸系統が一表示装置を備えた操作見取図である。各段階の動作の説明に寄与するために、図６及び図７はそれぞれ４段階図にて表示する。その中、図７における図７（Ａ）、図７（Ｂ）、図７（Ｃ）及び図７（Ｄ）はそれぞれ図６における図６（Ａ）、図６（Ｂ）、図６（Ｃ）及び図６（Ｄ）に対応している。
【００３３】
先ず、図６（Ａ）及び図７（Ａ）を参照して説明する。ローテイタブル・サポート１０３及びその上の表示装置１０８は開始時は一観賞角度に位置しており、この時カム装置１０４のアンローテイタブル部位１０４１及びローテイタブル部位がそれぞれ有する第１端の上平面１０４１４６及び第２端の上平面１０４２４６は互いに緊密に接触し、第１端の上平面１０４１４６と第２端の上平面１０４２４６とが接触を保持している条件下で、ローテイタブル・サポート１０３及び連動されたローテイタブル１０４２は任意の角度で静止保持することができる。
【００３４】
そして使用者が表示措置１０８上の映像を見終った時使用者は直接手で表示装置１０８を操作して車頂の方向へ回転させ、図６（Ｂ）及び図７（Ｂ）に示すように、表示装置１０８とローテイタブル・サポート１０３とが特定復帰角度ａ１に到達した時、カム装置１０４の該アンローテイタブル部位１０４１及びローテイタブル部位１０４２の各自が有する第１端の連続曲面１０４１４４及び第２端の連続曲面１０４２４４が丁度接触する。この時、圧力スプリング１０５によりアンローテイタブル部１０４１に印加された圧力からの持続的押圧を受け、これにより第１端の連続曲面１０４１４４及び第２端の連続曲面１０４２４４が持続的に相対移動を起して、ローテイタブル部位１０４２を連動して持続的に回転させる。そして、図６（Ｃ）及び図７（Ｃ）に示すように、ローテイタブル部位１０４２と固接したローテイタブル・サポート１０３及び表示装置１０８も自動的に車頂方向に向って回転する。
【００３５】
そして、表示装置１０８及びローテイタブル・サポート１０３は、カム装置１０４の連動下で、第１端の垂直接続面１０４１４８と第２端の垂直接続面１０４２４８とが互いに接触するまで自動的に回転する。自動的な回転は第１端の垂直接続面１０４１４８と第２端の垂直接続面１０４２４８との相互当接により停止される。この時図６（Ｄ）及び図７（Ｄ）に示すように表示装置１０８及びローテイタブル・サポート１０３は停止角度ａ２に所在している。使用者が再度表示装置１０８を開けて見たい時、使用者は直接表示装置１０８とローテイタブル・サポート１０３とを反対方向に回転すればよい。ローテイタブル・サポート１０３が停止角度ａ２から復帰角度ａ１に帰る期間、使用者により持続的に印加された作用力は圧力エネルギーの方式で蓄積圧力装置１０５に貯蔵され、つまり、蓄積圧力装置１０５は使用者を通して作用力を印加することにより圧力エネルギーを蓄積することができ、ローテイタブル・サポート１０３が再度自動的に復帰した時に釈放する。本実施例においては、本分野の一般技術人員は実際の需要に基づいてカム装置１０４の第１の立体端面部１０４１４及び第２の立体端面部１０４２４の立体端面形状を調整することができる。例えば本実施例において、第１端の連続曲面１０４１４４は３段の不同傾斜率の斜面組合、即ち図４中の曲面１０４１４４１、１０４１４４２、１０４１４４３に示すように設計されている。同時に第２端の連続曲面も第１端の連続曲面１０４１４４に対応して３段の不同傾斜率の斜面組合、即ち図５中の曲面１０４２４４３、１０４２４４２、１０４２４４１に示すように設計されている。このような設計は一歩進んでローテイタブル・サポート１０３の自動回転をより順調にさせ、且つ、使用者が表示装置１０８を開く時も比較的省力である。
【００３６】
カム装置１０４の調整から、本発明の他の一実施例、即ち表示装置自動復帰回転軸系統の第２の実施例を得ることができる。この第２の実施例の配置はカム装置１０４が別に設計された外は図３に示したのと同一である。アンローテイタブル部位１０４１及びローテイタブル１０４２はそれぞれ図８及び図９中の１０４５及び１０４６に取代えられている。
【００３７】
図８は図３におけるカム装置１０４のアンローテイタブル部位１０４５の細部見取図であり、よりはっきりその構造を表示するために、図８（Ａ）の断面図及び図８（Ｂ）の三
方向立体視図で表示されている。図８（Ａ）において、アンローテイタブル部位１０４５も一円筒形であり、中間には主軸１０２の貫通に供するための第３の空心部１０４５２があり、なお第１実施例と同様にアンローテイタブル部位１０４５が主軸を周回して回転しないように抑制する特定形状を有する。そしてその円心の回りには両組の周回端面形状を備え、それぞれ内周の第３の端面部１０４５４及び外周の第４の端面部１０４５６である。第３の端面部１０４５４は第３端の下平面１０４５４２と、第３端の連続曲面１０４５４４と、第３端の上平面１０４５４６と、第３端の下平面１０４５４２と第３端の上平面１０４５４６との間の第３端の垂直接続面１０４５４８と、を備えてなる。第４端の面部１０４５６も第４端の下平面１０４５６２と、第４端の連続曲面１０４５６４と、第４端の上平面１０４５６６と、第４端の下平面１０４５６２と第４端の上平面１０４５６６との間の第４端の垂直接続面１０４５６８と、を備えてなる。そして第４端の面部１０４５４及び第４端の面部１０４５６形状配置には、ずれ角度間隔があり、例えば第４端の連続曲面１０４５６４の位置は第３端の連続曲面１０４５４４の位置と１８０°離れており、これが所謂ずれ配置である。
【００３８】
図９は図３におけるカム装置１０４のローテイタブル部位１０４６の細部見取図であり、よりはっきりその構造を表示するために、それぞれ図９（Ａ）の断面図及び図９（Ｂ）の三方向立体視図で表わす。図９において、ローテイタブル部位１０４６も一円筒形であり、中間には主軸１０２の貫通に供すると共に主軸１０２がその中で自由に回転できる空心部１０４６２を有する。同様に、其の円心の回りには又２組の周回端面形状があり、それぞれ内周の第５端の面部１０４６４及び外周の第６端の面部１０４４６を有している。そして第５端の面部１０４６４及び外囲の第６端の面部１０４６６は、それぞれアンローテイタブル部位１０４５の第３端の面部１０４５４及び第４端の面部１０４５６と互に係合する端面形状を有している。
【００３９】
以上、カム装置１０４においてのアンローテイタブル部位１０４５及びローテイタブル部位１０４６の配置を通して、表示装置自動復帰回転軸系統のローテイタブル・サポート１０３も一復帰角度ａ１から自動的に一停止角度ａ２に復帰するように操作することができる。同時にカム装置１０４中の内外囲２組の端面形状の配置により、表示装置の重量が比較的重い状況下において、一歩進んで本回転軸系統の安定性が向上され、且つ使用者の操作力が減少される。
【００４０】
図１０は本発明の表示装置自動復帰回転軸系統の第３の実施例の見取図である。図１０において、表示装置自動復帰回転軸系統３０は固定ベース３０１と、主軸３０２と、ローテイタブル・サポート３０３と、カム装置３０４と、蓄積圧力装置３０５とを備えてなる。その中、蓄積圧力装置３０５は気体圧力平衡装置であり、密閉した高圧気室及び移動ポンプにより持続的にカム装置３０４に対して主軸３０２の軸方向への圧力が印加され、図６及び図７に示すように、ローテイタブル・サポート３０３を特定の復帰角度ａ１から自動的に停止角度ａ２に復帰させることができる。
【００４１】
次に、図１１を参照しながら説明する。この図１１は表示装置自動復帰回転軸系統の第４の実施例の見取図である。図１１において、表示装置自動復帰回転軸系統４０は固定ベース４０１と、主軸４０２と、ローテイタブル・サポート４０３と、カム装置４０４と、蓄積圧力装置４０５とを備えてなる。その中、蓄積圧力装置４０５は磁気位置エネルギー平衡装置であり、一対の排他的磁性体によりそれぞれ固定ベース４０１及びカム装置上に固定され、持続的にカム装置４０４に対して主軸４０２の軸方向への圧力が印加され、図６及び図７に示すように、ローテイタブル・サポート４０３を特定の復帰角度ａ１から自動的に停止角度ａ２に復帰させることができる。
【００４２】
以上列挙した実施例において、本分野の技術人員は実際の需要に応じて表示装置１０８をローテイタブル・サポート１０３の方式で安置でき、例えば図３に示す表示装置１０３は更に回転軸１０３１を介してローテイタブル・サポート１０３上に取付けられると同時に、回転軸１０３１は表示装置１０８にローテイタブル・サポート１０３の回転方向と違う回転を提供し、且つ表示装置１０８により多くの表示角度を提供して使用者により多くの視聴を与えることができるようにする。又、上記の蓄積圧力装置は電磁位置エネルギー平衡装置、弾性位置エネルギー装置、圧力スプリング、気体圧力位置エネルギー平衡装置又はその等価装置が使用される。
【００４３】
要するに、本発明は確実に実用の表示装置自動復帰回転軸系統を提供する。その利点は体積の減少、コスト・ダウン、電子機件の保守需求の減少、及び使用者の操作簡易等が挙げられ、実用性及び進歩性を具備した発明である。
【００４４】
ところで、上記実施例は本発明の技術的手段をより具体的に説明するためのものであり、本発明の技術的思想は決してこれに限定されず、添付クレームの範囲を逸脱しない限り、当業者による単純な設計変更付加、修飾・置換はいずれも本発明の技術的範囲に属する。
【図面の簡単な説明】
【００４５】
【図１】従来の車頂表示装置の見取図である。
【図２】従来の他の車頂表示装置の見取図である。
【図３（Ａ）】本発明の表示装置自動復帰回転軸系統の第１の実施例の見取図である。
【図３（Ｂ）】本発明の表示装置自動復帰回転軸系統の第１の実施例の見取図である。
【図３（Ｃ）】本発明の表示装置自動復帰回転軸系統の第１の実施例の見取図である。
【図４（Ａ）】本発明の表示装置自動復帰回転軸系統の第１の実施例の、カム装置のアンローテイタブル部位の細部表示図である。
【図４（Ｂ）】本発明の表示装置自動復帰回転軸系統の第１の実施例の、カム装置のアンローテイタブル部位の細部表示図である。
【図５（Ａ）】本発明の表示装置自動復帰回転軸系統の第１の実施例のカム装置のローテイタブル部位の細部表示図である。
【図５（Ｂ）】本発明の表示装置自動復帰回転軸系統の第１の実施例のカム装置のローテイタブル部位の細部表示図である。
【図６（Ａ）】本発明の表示装置自動復帰回転軸系統の第１の実施例の操作見取図である。
【図６（Ｂ）】本発明の表示装置自動復帰回転軸系統の第１の実施例の操作見取図である。
【図６（Ｃ）】本発明の表示装置自動復帰回転軸系統の第１の実施例の操作見取図である。
【図６（Ｄ）】本発明の表示装置自動復帰回転軸系統の第１の実施例の操作見取図である。
【図７（Ａ）】本発明の表示装置自動復帰回転軸系統における表示装置の操作見取図である。
【図７（Ｂ）】本発明の表示装置自動復帰回転軸系統における表示装置の操作見取図である。
【図７（Ｃ）】本発明の表示装置自動復帰回転軸系統における表示装置の操作見取図である。
【図７（Ｄ）】本発明の表示装置自動復帰回転軸系統における表示装置の操作見取図である。
【図８（Ａ）】本発明の表示装置自動復帰回転軸系統の第２の実施例におけるカム装置のアンローテイタブル部位の細部見取図である。
【図８（Ｂ）】本発明の表示装置自動復帰回転軸系統の第２の実施例におけるカム装置のアンローテイタブル部位の細部見取図である。
【図９（Ａ）】本発明の表示装置自動復帰回転軸系統の第２の実施例におけるカム装置のローテイタブル部位の細部見取図である。
【図９（Ｂ）】本発明の表示装置自動復帰回転軸系統の第２の実施例におけるカム装置のローテイタブル部位の細部見取図である。
【図１０】本発明の表示装置自動復帰回転軸系統の第３の実施例の見取図である。
【図１１】本発明の表示装置自動復帰回転軸系統の第４の実施例の見取図である。
【符号の説明】
【００４６】
１０１：固定ベース    １０２：主軸    １０３：ローテイタブル・サポート    １０４：カム装置    １０５：蓄積圧力装置    １０８：表示装置    １０４１２：空心部    １０４１２１：空心部の平面    １０４１２２：空心部の円弧面    １０４１４：第１の端面部    １０４１４２：第１端の下平面    １０４１４４：第１端の連続曲面    １０４１４６：第１端の上平面    １０４１４８：第１端の垂直接続面    １０４２４：第２の立体端面部    １０４２４２：第２端の下平面    １０４２４４：第２端の連続曲面    １０４２４６：第２端の上平面    １０４２４８：第２端の垂直接続面    １０４１４４１、１０４１４４２、１０４１４４３：第１端の連続曲面の不同傾斜率組合    １０４２４４１、１０４２４４２、１０４２４４３：第２端の連続曲面の不同傾斜率組合    ３０１：固定ベース    ３０２：主軸    ３０３：ローテイタブル・サポート    ３０４：カム装置    ３０５：蓄積圧力装置    ４０１：固定ベース    ４０２：主軸    ４０３：ローテイタブル・サポート    ４０４：カム装置    ４０５：蓄積圧力装置    ｐ１：車頂表示装置    ｐ２：ベース    ｐ４：固定装置スイッチ    ｐ６：ベース    ｐ８：モータ連動装置  
【図１】
2008197618.tif 000003
【図２】
2008197618.tif 000004
【図３（Ａ）】
2008197618.tif 000005
【図３（Ｂ）】
2008197618.tif 000006
【図３（Ｃ）】
2008197618.tif 000007
【図４（Ａ）】
2008197618.tif 000008
【図４（Ｂ）】
2008197618.tif 000009
【図５（Ａ）】
2008197618.tif 000010
【図５（Ｂ）】
2008197618.tif 000011
【図６（Ａ）】
2008197618.tif 000012
【図６（Ｂ）】
2008197618.tif 000013
【図６（Ｃ）】
2008197618.tif 000014
【図６（Ｄ）】
2008197618.tif 000015
【図７（Ａ）】
2008197618.tif 000016
【図７（Ｂ）】
2008197618.tif 000017
【図７（Ｃ）】
2008197618.tif 000018
【図７（Ｄ）】
2008197618.tif 000019
【図８（Ａ）】
2008197618.tif 000020
【図８（Ｂ）】
2008197618.tif 000021
【図９（Ａ）】
2008197618.tif 000022
【図９（Ｂ）】
2008197618.tif 000023
【図１０】
2008197618.tif 000024
【図１１】
2008197618.tif 000025